(57)【特許請求の範囲】
【請求項１】
リール本体に支持された支軸に、釣糸が巻回されるスプールを回転可能に支持すると共に、前記スプールの回転に制動力を付与するドラグ装置を構成する制動板をスプールに設け、前記制動板を押圧して制動力を調節する調節ツマミを前記支軸の先端部に螺合した魚釣用リールのドラグ装置において、
前記調節ツマミの裏面側に略円形の収容凹部を形成し、この収容凹部内に、前記調節ツマミの回転方向に抵抗力を付与する弛緩防止装置を構成する弾発部材を周方向に配設した有底筒体を収容すると共に、該有底筒体を弾性変形によって前記収容凹部内に抜け止めし、
前記有底筒体の周壁から突出する前記弾発部材の突部を、前記支軸に回り止め嵌合されるクリック部材に係合させたことを特徴とする魚釣用リールのドラグ装置。
【発明の詳細な説明】
【０００１】
【発明の属する技術分野】
本発明は、スプールの回転に制動力を付与する魚釣用リールのドラグ装置に関する。
【０００２】
【従来の技術】
一般的にスピニングリールのような魚釣用リールには、スプールの回転に対して制動力を付与するドラグ装置が設けられており、このドラグ装置は、制動力の強弱を調節するため、手の指で摘むことのできる調節ツマミを備えている。この調節ツマミは、スピニングリールの場合、スプールの前部に設けられることが多く、スプールを回転可能に支持したスプール軸の先端に形成された雄ネジ部に螺合されており、それを回動操作することでスプール側に装着されている制動板を押圧し、スプールの制動力が調節されるようになっている。
【０００３】
そして、このような調節ツマミには、不用意に回転して制動力が変化しないように、実公平２−４６３００号、実公平６−３７６５７号に見られるように、調節ツマミの回転方向に抵抗力を付与する弛緩防止装置が設けられている。
通常、このような弛緩防止装置は、回転方向に抵抗力を付与する環状バネを収容保持した有底筒体を、調節ツマミの制動板を押圧する側に突設している。
【０００４】
【発明が解決しようとする課題】
しかし、上記した弛緩防止装置は、環状バネを収容保持した有底筒体が、スプール前部に向けて大きく突出してしまうため、スプールの前後往復動距離、及びベールの支障のない解放操作を確保する必要上、リール全体が軸方向に大型化してしまい、巻取り及び放出時の魚釣り操作性が低下してしまう。また、スプール前部への突出量が大きいため、他物に当たったり、落下時に調節ツマミが損傷し易い。
【０００５】
本発明は、上記した問題に基づいて成されたものであり、ドラグ装置の調節ツマミの突出量を小さくして、リール全体が小型化される魚釣用リールのドラグ装置を提供することを目的とする。
【０００６】
【課題を解決するための手段】
上記した目的を達成するために、本発明は、リール本体に支持された支軸に、釣糸が巻回されるスプールを回転可能に支持すると共に、前記スプールの回転に制動力を付与するドラグ装置を構成する制動板をスプールに設け、前記制動板を押圧して制動力を調節する調節ツマミを前記支軸の先端部に螺合した魚釣用リールのドラグ装置において、前記調節ツマミの裏面側に略円形の収容凹部を形成し、この収容凹部内に、前記調節ツマミの回転方向に抵抗力を付与する弛緩防止装置を構成する弾発部材を周方向に配設した有底筒体を収容すると共に、該有底筒体を弾性変形によって前記収容凹部内に抜け止めし、前記有底筒体の周壁から突出する前記弾発部材の突部を、前記支軸に回り止め嵌合されるクリック部材に係合させたことを特徴とする。
【０００７】
上記した構成によれば、従来では、中実状に形成されていたドラグ力調節用の調節ツマミの裏面側に収容凹部を形成し、ここに弛緩防止装置の少なくとも一部を収容させたことで、弛緩防止装置の軸方向における突出量が少なくなるか、或いは全く突出しないため、リール全体が軸方向に小型化されるようになる。
【０００８】
【発明の実施の形態】
以下、本発明に係る魚釣用リールのドラグ装置の実施形態を添付図面に沿って具体的に説明する。
図１乃至図４は、本発明の一実施形態を示す図であり、図１は、魚釣用リール（スピニングリール）の全体構成を示す図、図２は、ドラグ装置の部分の構造を拡大して示す部分断面図、図３は、ドラグ装置の部分を分解した状態を示す部分断面図、そして、図４（ａ）は、ドラグ装置の調節ツマミの断面図、図４（ｂ）は、調節ツマミの平面図である。
【０００９】
図示されたスピニングリール１は、釣竿に装着するための脚部２ａが形成されたリール本体２と、リール本体前方に回転可能に配されたロータ３と、ロータ３の回転運動と同期して前後動可能に支持されたスプール５とを有している。
【００１０】
前記ロータ３には、円筒部３ａと一対のベール支持部材３ｂが設けられており、各支持部材３ｂの先端には、ベール３ｃを保持したベール支持アーム３ｄが釣糸巻取り位置と釣糸放出位置との間で反転可能に支持されている。また、リール本体２には、ハンドル７が回転可能に装着されており、この回転操作によって、前記ロータ３は回転駆動されると共に、スプール５は往復駆動され、釣糸は、釣糸案内部３ｅを介してスプール５に均等に巻回されるようになっている。
【００１１】
前記ロータ３は、ハンドル７の回転操作によって回転駆動される回転筒軸８の前端部に固定されており、前記スプール５は、ハンドル７の回転操作によって往復駆動されるスプール軸（支軸）９の先端部に、軸受９ａを介して回転可能に支持されている。なお、支軸９は、回転筒軸８の内部空間に軸方向に往復動可能でかつ回転不能に挿通されており、前記ロータ３は、抜け止めナット部材１０ａによって回転筒軸８に対して回り止め固定されると共に、軸受１０ｂを介して支軸９と係合している。
【００１２】
前記スプール５と支軸９との間には、ドラグ装置２０が配設されており、支軸９に回転可能に支持されたスプール５に対して所望の制動力、すなわちスプール５に巻回された釣糸が繰り出された際に、スプールに対して所望の制動力を与えるようになっている。このドラグ装置２０は、ドラグ力の強弱の調節を行なう調節ツマミ３０と、調節ツマミ３０とスプール５との間に介在される制動部材４０と、調節ツマミ３０が不用意に回転しないように、調節ツマミ３０の回転方向に抵抗力（節度）を与える弛緩防止装置５０とを備えている。
【００１３】
前記調節ツマミ３０の本体３１は、図４（ｂ）に示すように、平面視で円形状に形成されており、その表面側には、指で摘んで本体３１を回動操作し易いように、直径方向に延出する堤状突部３２が形成されている。また、調節ツマミ３０の本体３１の裏面側には、略円形の収容凹部３５が形成されており、この収容凹部３５の底部には、支軸９の先端に形成された雄ネジ部９ｂと螺合するナット３６が嵌入されて、本体３１は支軸９に対して回動操作できるように構成されている。
【００１４】
前記弛緩防止装置５０は、上方に開口した有底筒体５１と、この有底筒体５１の周壁に配設される弾発部材５２（本実施形態では、有底筒体の周壁に沿うようにして配設される環状のバネ部材として構成されている）とを備えており、この弾発部材５２には、一部において有底筒体５１の周壁から突出する突部５２ａが形成されている。そして、この弛緩防止装置５０は、少なくともその一部が、本体３１に形成された収容凹部３５に収容されるようになっており、本実施形態では、図に示すように、弾発部材５２の全てと、有底筒体５１の略全体が収容されている。
【００１５】
前記本体３１の裏面には、径方向に弾性変形可能で、有底筒体５１の周壁に形成された係合孔５１ａと係合する突出片３１ａが形成されており、有底筒体５１を裏面側から嵌め込んだ際、突出片３１ａが径方向に弾性変形して、先端に形成された係合部３１ｂと係合孔５１ａとが係合して、有底筒体５１が抜け止めされるようになっている。また、前記ナット３６と有底筒体５１の底部との間には、弾性バネ３７が介在されており、有底筒体５１を下方側に向けて付勢している。
【００１６】
前記制動部材４０は、支軸９に回り止め嵌合され、好ましくは金属によって形成された制動板４１と、スプール５の前端面５ａと制動板４１との間に介在されるライニングワッシャ４２、及びワッシャ４３とを備えている。そして、制動板４１は、スプール前端部にネジ４５等によって取着された輪帯状の抜け止め板４６及びワッシャ４７を介して、スプールに対して抜け止め保持されている。
【００１７】
前記制動板４１には、調節ツマミ３０側の表面に、弛緩防止装置の一部を構成するキャップ状のクリック部材５５が接着、ネジ止め等によって取り付けられている。このクリック部材５５の内周面には、周方向に沿って凹凸５５ａが形成されており、前記弾発部材５２に設けられた突部５２ａが係合するようになっている。すなわち、調節ツマミ３０を回動操作した際、それと共に一体回転する有底筒体５１に設けられた弾発部材５２の突部５２ａが凹凸５５ａと係合し、調節ツマミ３０の回動に節度を与える（調節ツマミが弛緩しないような抵抗を与える）ようになっている。
【００１８】
上記したような構成のドラグ装置２０によれば、調節ツマミ３０を回動操作すると、それ自体が軸方向に沿って移動し、前記制動板４１には、その回動操作量（軸方向への移動量）に応じた押圧力が、有底筒体５１及びクリック部材５５を介して作用する。この結果、フリー回転可能に支持されたスプール５には、回転不能に保持された制動板４１を介して、ライニングワッシャ４２、及びワッシャ４３による摩擦力が作用するため、釣糸繰り出し方向の回転に対して制動力が作用する。また、調節ツマミ３０を回動操作すると、それと共に一体回転する有底筒体５１に設けられた弾発部材５２の突部５２ａが、クリック部材５５の凹凸５５ａと係合し、調節ツマミ３０の回動に節度を与えるため、調節ツマミが弛緩するようなことはない。
【００１９】
そして、上記した調節ツマミ３０によれば、裏面側に収容凹部３５を形成し、ここに弛緩防止装置５０を収容するように構成されているため、調節ツマミ自体を軸方向に可及的に短縮化することが可能となり、充分なスプール前後往復動距離の確保と、支障のないベール解放操作の維持を図りながら、リール全体を軸方向において小型化することが可能となる。また、スプール前方への突出量が少なくなるため、他物に当たったり、落下等から調節ツマミ３０の損傷を防止することができる。
【００２０】
なお、本発明は、調節ツマミ３０の裏面側に収容凹部３５を形成し、ここに弛緩防止装置５０が配設されるように構成されていれば良く、少なくとも、その一部が収容されていれば上記した作用効果を得ることができる。この場合、弛緩防止装置５０の内、弾発部材５２の部分が収容されていれば好ましく、更には、弾発部材５２を保持している有底筒体５１の後端面全てが収容凹部３５内、すなわち本体３１の下端面３１ｃから内側に収容されていることがより好ましい。
【００２１】
【発明の効果】
本発明によれば、ドラグ装置における制動力の調節を行なう調節ツマミの突出量が小さくなることから、リール全体が小型化されるようになる。
【図面の簡単な説明】
【図１】魚釣用リール（スピニングリール）の全体構成を示す図。
【図２】図１に示す魚釣用リールに組み込まれているドラグ装置の部分の構造を拡大して示す部分断面図。
【図３】ドラグ装置の部分を分解した状態を示す部分断面図。
【図４】（ａ）は、ドラグ装置の調節ツマミの断面図、（ｂ）は、その平面図。
【符号の説明】
１  スピニングリール（魚釣用リール）
２  リール本体
５  スプール
９  スプール軸（支軸）
２０  ドラグ装置
３０  調節ツマミ
３５  収容凹部
５０  弛緩防止装置
【図１】
0003901556.tif 000002
【図２】
0003901556.tif 000003
【図３】
0003901556.tif 000004
【図４】
0003901556.tif 000005